(57)【特許請求の範囲】
【請求項１】
少なくとも第一のネットワークと第二のネットワークとを含む異種ネットワークのページング方法であって、
少なくとも第一のネットワークと第二のネットワークの重なりカバーエリアにおいて、第二のネットワークからのページング要求が存在する場合、前記第一のネットワークに対応する第一のネットワークシステム中のネットワークノードが、該ページング要求の宛先となる端末が第一のネットワークモードで稼働しているか否かを確認し、及びその登録した位置情報をサーチし、該端末は第二のネットワークモードで稼働していないことを確認するステップと、
前記第一のネットワークに対応する第一のネットワークシステム中の制御サブシステムが、該端末が第一のネットワークモードで稼働している場合、第一のネットワークモードのページングメッセージに、第二のネットワークからのページング要求が存在することを示す異種ページング指示情報を追加するステップと、
前記制御サブシステムが、サーチした位置情報、及び異種ページング指示情報が追加されたページングメッセージに基いて、ページングを行い、第二のネットワークモードをオンにすることを該端末に通知するステップと
を含むことを特徴とする異種ネットワークのページング方法。
【請求項２】
第一のネットワークと第二のネットワークがそれぞれＷＡＮとＬＡＮである場合、前記端末は、第一のネットワークモードで稼働し、ＬＡＮからのページング要求が存在するときのみに第二のネットワークモードをオンにし、
第一のネットワークと第二のネットワークともＷＡＮである場合、又は第一のネットワークと第二のネットワークともＬＡＮである場合、前記端末は、任意のネットワークモードをランダムに選択して稼動し、もう一つのネットワークからのページング要求が存在するときのみにもう一つのネットワークモードをオンにすることを特徴とする請求項１に記載のページング方法。
【請求項３】
前記端末は、第二のネットワークモードをオンにしてサービスを完成した後、第二のネットワークモードでの稼働を停止させ、又は、第一のネットワークにおいてサービスが発生しないと、引き続き第二のネットワークモードで稼働し、第一のネットワークモードでの稼働を停止させることを特徴とする請求項２に記載のページング方法。
【請求項４】
前記重なりカバーエリアが複数のネットワークの重なりカバーエリアである場合、前記複数のネットワークに対応する各ネットワークシステムは、前記ページング要求の宛先となる端末がどのネットワークモードで稼働しているかを確認し、確認したネットワークモードのページングメッセージに異種ページング指示情報を追加することによってページングを行うことを特徴とする請求項３に記載のページング方法。
【請求項５】
二つのネットワークモードを同時にオンにしている場合、前記端末は、一つのネットワークモードのみで位置情報の更新を行うことを特徴とする請求項１乃至４のいずれか一項に記載のページング方法。
【請求項６】
少なくとも第一のネットワークと第二のネットワークとを含み、且つ、少なくとも第一のネットワークと第二のネットワークの重なりカバーエリアにおいて、第二のネットワークからの、第二のネットワークモードで稼働していない端末に対するページング要求が存在する異種ネットワークのページングシステムであって、
第一のネットワークに対応する第一のネットワークシステムは、
該ページング要求の宛先となる端末が第一のネットワークモードで稼働しているか否かを確認し、及びその登録した位置情報をサーチするためのネットワークノードと、
該端末が第一のネットワークモードで稼働している場合、第一のネットワークモードのページングメッセージに、第二のネットワークからのページング要求が存在することを示す異種ページング指示情報を追加し、サーチした位置情報、及び異種ページング指示情報が追加されたページングメッセージに基いて、ページングを行い、第二のネットワークモードをオンにすることを該端末に通知する制御サブシステムと
を含むことを特徴とする異種ネットワークのページングシステム。
【請求項７】
第一のネットワークシステム中のネットワークノードは、第二のネットワークからのページング要求を識別し、第二のネットワークにおいて位置更新を行う機能を有することを特徴とする請求項６に記載のページングシステム。
【請求項８】
第一のネットワークと第二のネットワークがそれぞれＷＡＮとＬＡＮである場合、前記端末は、第一のネットワークモードで稼働し、ＬＡＮからのページング要求が存在するときのみに第二のネットワークモードをオンにし、
第一のネットワークと第二のネットワークともＷＡＮである場合、又は第一のネットワークと第二のネットワークともＬＡＮである場合、前記端末は、任意のネットワークモードをランダムに選択して稼働し、もう一つのネットワークからのページング要求が存在するときのみにもう一つのネットワークモードをオンにすることを特徴とする請求項７に記載のページングシステム。
【請求項９】
前記端末は、第二のネットワークモードをオンにしてサービスを完成した後、第二のネットワークモードでの稼働を停止させ、又は、第一のネットワークにおいてサービスが発生しないと、引き続き第二のネットワークモードで稼働し、第一のネットワークモードでの稼働を停止させることを特徴とする請求項８に記載のページングシステム。
【請求項１０】
前記重なりカバーエリアが複数のネットワークの重なりカバーエリアである場合、複数のネットワークに対応する各ネットワークシステムは、前記ページング要求の宛先となる端末がどのネットワークモードで稼働しているかを確認し、確認したネットワークモードのページングメッセージに異種ページング指示情報を追加することによってページングを行うことを特徴とする請求項９に記載のページングシステム。
【請求項１１】
前記端末は、二つのネットワークモードを同時にオンにしている場合、任意の一つのネットワークシステムによって位置情報の更新を行うことを特徴とする請求項６乃至１０のいずれか一項に記載のページングシステム。
【請求項１２】
少なくとも第一のネットワークと第二のネットワークとを含む異種ネットワークに用いられる端末であって、少なくとも第一のネットワークと第二のネットワークの重なりカバーエリアにおいて第一のネットワークモードのみで稼働し、
少なくとも第一のネットワークモードインタフェースと第二のネットワークモードインタフェースとを含み、対応する第一のネットワークと第二のネットワークに接続して通信するためのアクセスインタフェースと、
第一のネットワークモードインタフェースを介して、ページング指示チャネル上にページング指示が存在するか否かを検出する検出ユニットと、
検出ユニットでページング指示を検出した後、第一のネットワークシステムの基地局からセカンダリ共通制御物理チャネルに搭載して送信する次の下りチャネルフレームに対して復号を行って、該端末に属するページングメッセージの有無を確認し、あると確認した場合、更に、該ページング情報が、第二のネットワークからのページング要求があることを示すか否かを判断し、ＹＥＳと判断した場合、対応する第二のネットワークインタフェースをオンにする処理ユニットと
を含むことを特徴とする端末。
【請求項１３】
システムに対して、位置登録及び更新を行うための更新ユニットを更に含むことを特徴とする請求項１２に記載の端末。
【請求項１４】
前記端末が複数のネットワークの重なりカバーエリアに位置している場合、処理ユニットは、前記ページング情報がどのネットワークを指示するかを判断して、対応するネットワークインタフェースをオンにすることを特徴とする請求項１３に記載の端末。
【発明の詳細な説明】
【技術分野】
【０００１】
本発明は、無線通信ネットワーク分野に関し、特に、異種ネットワークのページング方法、システム、及び異種ネットワークに用いられる端末に関する。
【背景技術】
【０００２】
無線通信ネットワークにおいて、無線通信システムがホスト/端末に対して位置管理を行う目的は、随時ローミング又は移動可能なホスト/端末の位置に対して位置決めと追跡を行って、呼出し或いはパケットを宛先の移動ホスト/端末に正確に引き渡す能力をシステムに持たせることにある。移動性プロトコルにおいて、位置管理は、位置更新とページングの二つのサブプロセスに関わる。無線通信ネットワークは、移動局の位置情報を追跡して記録することが要求され、このようにして、要求に応じて、着信した呼出しを正しいユーザに引き渡すことができる。
【０００３】
各サブプロセスの発生順番によると、最初に発生するのは位置登録である。移動ホスト/端末は、現在所在しているアクセスポイントを定期的に通知することが必要となり、システムは、ユーザに対して認証を行い、身分の有効を確認してから、その現在の位置に基いてデータベースの中の対応する位置情報データを更新する。そして、着信、或いは転送しようとするパケットがある場合、データベースから着信側の現在位置及びネットワークアクセスポイントをサーチする。ページングメカニズムを介して、システムは、呼出し或いはパケット転送要求をユーザに通知し、ユーザが応答してから、宛先の移動ホスト/端末までの通信が完成できる。
【０００４】
移動ユーザ数の増加につれ、より効果的なメカニズムを利用して急速に増えるネットワーク通信トラフィックに適応することが要求されている。該プロセスの主な参考指標は、セキュリティメカニズム、ダイナミックなデータベース更新、データサーチ遅延及びホスト/端末ページング方法と遅延などを含む。位置管理は、主にデータベースの操作とシグナリング情報の伝送のみに関わるため、異なるネットワークとプロトコルに対して汎用性をもつ。
【発明の開示】
【発明が解決しようとする課題】
【０００５】
将来の無線ネットワークは、様々な無線アクセス技術と標準とに基いたネットワークからなる。異なるアクセス技術をサポートする端末を用いることによって、ユーザは、ネットワークにアクセスでき、満足するサービスを受けることができる。しかしながら、ユーザは、単一のネットワークから提供する有限のサービスに満足せず、フルサービスを受けると共に世界各地でのシームレスローミングを期待し、単一のネットワークによっては、フルサービスとユビキティのカバーを提供することができないため、様々なユーザの要求を満足することができない。これは、各種類の技術の特徴（データ伝送レート、カバー範囲、信頼性、サービス品質など）によって決められる。従って、各種類のネットワークは、自身の優勢に立つサービスを提供し、他のサービスについては他のネットワークによって補う。そこで、複種のアクセス技術に基いたネットワークが互いに連携することによって、ネットワーク全体の伝送能力を向上させ、よりよいサービス品質を提供し、ネットワークアクセスのコストを低減し、様々なアクセス技術の潜在力を見つけることが要求される。ユーザがマルチモードの端末を携帯して、ＷＡＮ或いはＬＡＮのような複数の無線ネットワーク間を移動する場合、下記のような解決しがたい課題が存在する。
【０００６】
１）端末が同時にマルチモードで稼働している場合、複数のネットワークにおいて位置の更新を行うと共に、複数のネットワーク側からのページングメッセージをモニターすることが要求されるため、多すぎる位置更新シグナリングのオーバーヘット及びエネルギー消耗を引き起こすことになる。
【０００７】
２）端末がある時刻で一種類のモードで稼働している場合、位置更新シグナリングのオーバーヘットを低減させ、端末の有限のエネルギーを節約することができるが、他の非アクティブモードのネットワーク側からのページングメッセージを効果的にモニターすることができず、非アクティブモードのネットワーク通信が効果的に確立できなくなる。
【０００８】
そこで、デュアル/マルチモードの端末のネットワーク側のページングメッセージに対するモニターとエネルギー消耗との間の矛盾を効果的に解決できる異種ネットワークにおけるページング方法が必要になっている。
【０００９】
本発明の目的は、端末のエネルギー消耗を節約できるページング方法を提供することにある。
【課題を解決するための手段】
【００１０】
本発明の第一の特徴は、少なくとも第一のネットワークと第二のネットワークとを含む異種ネットワークのページング方法であって、少なくとも第一のネットワークと第二のネットワークの重なりカバーエリアにおいて、第二のネットワークからのページング要求が存在する場合、該ページング要求の宛先となる端末が第一のネットワークモードで稼働しているか否かを確認し、及びその登録した位置情報をサーチし、該端末は第二のネットワークモードで稼働していないことを確認するステップと、該端末が第一のネットワークモードで稼働している場合、第一のネットワークモードのページングメッセージに、第二のネットワークからのページング要求が存在することを示す異種ページング指示情報を追加するステップと、サーチした位置情報、及び異種ページング指示情報が追加されたページングメッセージに基いて、ページングを行い、第二のネットワークモードをオンにすることを該端末に通知するステップとを含む。
【００１１】
本発明の第二の特徴は、少なくとも第一のネットワークと第二のネットワークとを含み、且つ、少なくとも第一のネットワークと第二のネットワークの重なりカバーエリアにおいて、第二のネットワークからの、第二のネットワークモードで稼働していない端末に対するページング要求が存在する異種ネットワークのページングシステムであって、第一のネットワークに対応する第一のネットワークシステムは、該ページング要求の宛先となる端末が第一のネットワークモードで稼働しているか否かを確認し、及びその登録した位置情報をサーチするためのネットワークノードと、該端末が第一のネットワークモードで稼働している場合、第一のネットワークモードのページングメッセージに、第二のネットワークからのページング要求が存在することを示す異種ページング指示情報を追加し、サーチした位置情報、及び異種ページング指示情報が追加されたページングメッセージに基いて、ページングを行い、第二のネットワークモードをオンにすることを該端末に通知する制御サブシステムとを含む。
【００１２】
本発明の第三の特徴は、少なくとも第一のネットワークと第二のネットワークとを含む異種ネットワークに用いられる端末であって、少なくとも第一のネットワークと第二のネットワークの重なりカバーエリアにおいて第一のネットワークモードのみで稼働し、少なくとも第一のネットワークモードインタフェースと第二のネットワークモードインタフェースとを含み、対応する第一のネットワークと第二のネットワークに接続して通信するためのアクセスインタフェースと、第一のネットワークモードインタフェースを介して、ページング指示チャネル上にページング指示が存在するか否かを検出する検出ユニットと、検出ユニットでページング指示を検出した後、第一のネットワークシステムの基地局からセカンダリ共通制御物理チャネルに搭載して送信する次の下りチャネルフレームに対して復号を行って、該端末に属するページングメッセージの有無を確認し、あると確認した場合、更に、該ページング情報が、第二のネットワークからのページング要求があることを示すか否かを判断し、ＹＥＳと判断した場合、対応する第二のネットワークインタフェースをオンにする処理ユニットとを含む。
【発明の効果】
【００１３】
上記ページング方法、システム及び端末によれば、デュアルモード或いはマルチモード端末が異種ネットワークの重なりカバーエリアに位置している場合、一回の位置更新だけでいいため、シグナリングプロセスを減少し、端末は、一種類のモードのみで二種類以上のネットワークのサービスを受けることができるので、端末のエネルギー消耗を節約している。
【発明を実施するための最良の形態】
【００１４】
異種ネットワークのページングにおいて、マルチモード端末のネットワーク側のページングメッセージに対するモニターとエネルギー消耗との間の矛盾に対して、発明者は、ある時間帯において、端末のサービスの大部分は、一つのネットワークのみから提供され、他のネットワークでは本の少しのサービスしか発生しないことを発見した。複数のモードを同時にアクティブにすると、このサービスの少ないネットワークのページングメッセージをモニターし、及び位置更新を行うことは、非常に多くの必要のないエネルギー消耗とシグナリング負荷を招くことになる。該分析に基いて、本発明は、マルチモード端末のエネルギー消耗を節約できるページング方法及びシステムを提供する。
【００１５】
本発明のページング方法において、デュアルモード或いはマルチモードの端末が重なっているネットワーク（第一のネットワークと第二のネットワークが重なっているエリア、又は、複数のネットワークが重なっているエリア）間を移動する際に、端末は、そのうちの一つのモード（例えば第一のネットワークモード）のみで稼働し、他のモードは完全にオフにして非稼働状態にしてもよい。端末がハンドオーバーした場合、稼働しているモードのネットワーク（第一のネットワーク）のみで位置更新を行なうだけでよく、すべてのモードのネットワークで位置更新を行う必要がない。
【００１６】
第一のネットワーク側からページングをスタートする場合、端末は、現在のページングメカニズムと同一の正常なページングを実行する。例えば、第二のネットワーク側からページングをスタートする場合、つまり異種ネットワークシステム間でページングする場合、第一のネットワークは、該ページングの宛先となる端末が第一のネットワークモードで稼働するか否かを確認し、その登録した位置情報をサーチする。該端末が第一のネットワークモードで稼働する場合、第一のネットワーク側は、第一のネットワークモードのページングメッセージに、第二のネットワークからのページングが存在することを示す異種ページング指示情報を追加する。そして、第一のネットワーク側は、サーチした位置情報、及び異種ページング指示情報が追加されたページングメッセージに基いて、ページングを行い、第二のネットワークモードをオンにすることを該端末に通知する。
【００１７】
〈実施例１〉
図１は、本発明の実施例１によるＷＡＮとＬＡＮの異種ネットワークトポロジー構造を示す。
【００１８】
図１に示すように、ＷＣＤＭＡとＷｉＭＡＸのネットワーキングを例として、ＷＡＮとＬＡＮの異種ネットワークを説明する。
【００１９】
まず、図１における各構成ユニットに対して説明する。
【００２０】
ＧＧＳＮ：ＧＰＲＳゲートウェイサポートノードであって、コアネットワークとの接続を担い、ＰＳ領域の機能ノードである。Ｇｎ/Ｇｐインターフェースを介してＳＧＳＮに接続され、Ｇｉインタフェースを介して外部ネットワークに接続されて、移動ネットワークと外部データネットワーク間におけるデータパケットのルーティング及びパッケージングを提供する。主な機能としては、外部ＩＰパケットネットワークとの機能インタフェースである。ＧＧＳＮは、設備がネットワーク外のパケットネットワークにアクセスするゲートウェイ機能を提供し、外部ネットワークから見ると、ＧＧＳＮは、移動ネットワーク中のすべてのユーザのＩＰアドレスをサーチすることができるルータであり、外部ネットワークとルーティング情報を交換する必要がある。即ち、ＧＧＳＮは、移動ネットワークと外部ネットワーク間のゲートウェイと見なしてもよい。
【００２１】
ＨＬＲ:ホームロケーションレジスタであり、端末が登録した位置情報を記憶する。
【００２２】
ＳＧＳＮ:ＧＰＲＳサービスサポートノードであり、パケット交換データトラヒックの制御と管理を行う。Ｇｎ/Ｇｐインターフェースを介してＧＧＳＮに接続され、主にＰＳ領域のルーティング転送、移動性管理、セッション管理、認証及び暗号化機能を提供する。
【００２３】
ＶＬＲ:在圏ロケーションレジスタ
Ｎｏｄｅ  Ｂ：基地局
ＲＮＣ:無線ネットワーク制御局
上記各ユニットは、従来技術における公知ユニットであり、ソフトウェア又はハードウェアによって実現でき、ここでは詳しく記述しない。
【００２４】
図２は、本発明の実施例１によるページング方法の適用環境を示す。
【００２５】
図２に示すように、端末１は、ＷＣＤＭＡとＷｉＭＡＸネットワークの重なりカバーエリアに位置している。
【００２６】
以下、本発明の実施例１によるページング方法の実現プロセスを詳しく記述する。
【００２７】
本実施例において、端末１は、ＷＣＤＭＡとＷｉＭＡＸモードで稼働でき、つまり、デュアルモード端末である。ＷｉＭＡＸはＷＣＤＭＡの補充方式であるため、ＷＣＤＭＡのエアーインタフェースは、ずっとオン状態にあり、ＷｉＭＡＸのエアーインタフェースは必要のときだけオンにする。
【００２８】
端末１が異種ネットワークの重なりカバーエリアで移動する場合、ＷＣＤＭＡモードのみで稼働すればよく、エネルギーを節約するために、ＷｉＭＡＸのエアーインタフェースをオフ状態にする。端末１は、ＷＣＤＭＡネットワークで位置更新を行い、端末の位置情報は、ＷＣＤＭＡネットワークの基地局によってＶＬＲとＨＬＲにアップロードされて記憶され、ＷｉＭＡＸシステムでは同時に位置更新を行う必要がない。
【００２９】
ＷＣＤＭＡシステムからのページング要求が存在する場合、基地局とＲＮＣは、ＨＬＲに記憶された位置情報を利用してページングを行い、該位置情報を利用して、ページング要求の宛先端末が所在する具体的なページングエリアを見つけ出し、ページングメッセージを送信する。これは、従来技術のページングメカニズムと同じであり、ここでは重複記載を避ける。
【００３０】
ＷｉＭＡＸシステムからのページング要求が存在するとき、本実施例において簡便化のために端末１を宛先端末とした場合、端末１のＷｉＭＡＸモードがオフ状態にあるため、ＷＣＤＭＡシステムのネットワークノード（ＳＧＳＮ/ＶＬＲ、ＧＧＳＮ、ＨＬＲ）は、ＷｉＭＡＸシステムのページング要求の宛先端末がＷＣＤＭＡネットワークモードで稼働しているか否かを確認する。端末１がＷＣＤＭＡネットワークモードで稼働している場合、ＷＣＤＭＡシステムの制御サブシステム（ＲＮＣと基地局）は、ＷＣＤＭＡのページングメッセージのアイドルビットに新しい情報ユニットを追加することで異種ページングを行う。つまり、ＷｉＭＡＸのページングメッセージは、ＷＣＤＭＡシステムの基地局によって端末１に送信され、他のネットワークからページングメッセージがあることをデュアルモード端末に通知する。このプロセスにおいて、端末がＷＣＤＭＡモードで位置更新を行った情報を利用して、ＷｉＭＡＸシステムのページング要求の宛先端末が所在するページングエリアをサーチする必要がある。
【００３１】
ここで、ＷＣＤＭＡシステムのネットワークノードは、端末がＷＣＤＭＡモードで位置更新を行った情報を利用して、ＷｉＭＡＸシステムのページング要求に対応する宛先端末がＷＣＤＭＡネットワークモードで稼働しているか否かを確認するため、本実施例において、ＷＣＤＭＡシステムのネットワークノードは対応的にＷｉＭＡＸシステムのネットワークノード（ＡＧ、ＳＳ）の機能を有し、すなわち、ＷｉＭＡＸシステムのページング要求を識別可能し、ＷｉＭＡＸシステムにおいての位置更新が可能である。簡単に、本実施例におけるネットワークノード（ＳＧＳＮ/ＶＬＲ、ＧＧＳＮ、ＨＬＲ）が具備する機能は、従来のＷＣＤＭＡのネットワークノードとＷｉＭＡＸシステムのネットワークノードの機能の組み合わせである。
【００３２】
ここで、注意すべきこととして、端末１がデュアルモード端末であるため、該宛先端末がＷＣＤＭＡネットワークモードで稼働しているとみなしてもよい。宛先端末（端末１）がマルチモード端末であり、且つ、複数のネットワークの重なりカバーエリアに位置している場合、複数のネットワーク中のネットワークノードは、該宛先端末がどのネットワークモードで稼働しているかを確認する。該宛先端末が第三のネットワークモードで稼働している場合、第三のネットワーク中の制御サブシステムは、第三のネットワークのページングメッセージのアイドルビットに新しい情報ユニットを追加することで異種ページングを行う。
【００３３】
図２に戻って、ＷＣＤＭＡシステムにおいて、端末がネットワークに登録した後、該端末は、一つのページンググループに分けられる。該ページンググループのいずれかの端末に送信するページングメッセージがあるとき、ページング指示（ＰＩ，Ｐａｇｉｎｇ ｉｎｄｉｃａｔｏｒ）は、ページング指示チャネル（ＰＩＣＨ）で周期的に現れる。
【００３４】
ＰＩを検出すると、端末は、セカンダリ共通制御物理チャネル（ＣＣＰＣＨ）に搭載されて送信された次の下りチャンル（ＰＣＨ）フレームに対して復号を行って、自身に属するページングメッセージがあるか否かを確認する。同様に、ＰＩ指示に対する判決の信頼性が低下した場合、端末は、ＰＣＨフレームに対しても復号を行う。
【００３５】
ページング指示が現れる頻度が小さいほど、該端末が、休眠モードからウィークアップされる回数が少なくなり、電池の寿命も長くなる。
【００３６】
図３は、本発明の実施例１において採用されたページングチャネル構造を示す。
【００３７】
図３に示すように、ＷｉＭＡＸシステムからのページング要求が存在する場合、ページング指示（ＰＩ，ｐａｇｉｎｇ  ｉｎｄｉｃａｔｏｒ）が、ページング指示チャネル（ＰＩＣＨ）上に現れ、次の下りチャンル（ＰＣＨ）フレームには、ＷｉＭＡＸシステムからのページングであることを示すユニバーサルページング情報（ＵＰＩ）が含まれる。たとえば、システムにおいて、ＷＣＤＭＡシステムからのページング情報ＵＰＩの値を０に、ＷｉＭＡＸからのページング情報ＵＰＩの値を１に予め設定してもよい。システムに複数のネットワークが存在する場合、ＵＰＩは、各ネットワークに対応する値に設定してもよい。
【００３８】
図４は、本発明の実施例１によるページング方法のメッセージフローを示す。
【００３９】
図４に示すように、ＷＣＤＭＡシステムのコアネットワーク中のノードＧＧＳＮは、ＷｉＭＡＸネットワークからのページング要求Ｗ−ＰＲを受信すると、指令ＭＴ  ＬＯＯＫ-ＵＰを通じて、ＨＬＲを介してノードＳＧＳＮ/ＶＬＲでページング要求の宛先端末の所在する基地局をサーチする。
【００４０】
ノードＳＧＳＮ/ＶＬＲにおいて、ページング要求の宛先端末の所在する基地局をサーチした後、ノードＳＧＳＮ/ＶＬＲは、ノードＧＧＳＮに対してＭＴ  ＬＯＯＫ  ＵＰ  ＣＯＮＦＩＲＭメッセージを応答し、該メッセージにはサーチされた基地局の情報が含まれる。
【００４１】
ノードＧＧＳＮは、サーチした基地局の情報に基いて、ＲＮＣの制御の下で、該サーチした基地局にＵＰ  ＭＥＳＳＡＧＥを送信して、ページング要求Ｗ−ＰＲを転送する。ここで、ＲＮＣと基地局は、制御サブシステムと総称する。
【００４２】
該サーチした基地局は、ページング要求Ｗ−ＰＲに基いて、ページング指示情報ＵＰＩ（図３のＰＣＨのように）を更新し、ＰＣＨフレームを送信する。
【００４３】
ページング要求Ｗ−ＰＲの宛先端末は、ＰＣＨフレームを復号した後、ＵＰＩに基いて異種ページングの指示（ＷｉＭＡＸネットワークからのページング）を取得し、ＷｉＭＡＸエアーインタフェースをオンにした後、ＷｉＭＡＸネットワークにアクセスして通信を行う（ＡＤＤ  ＩＥ（ａｄｄ  Ｉｎｆｏｒｍａｔｉｏｎ  ｅｌｅｍｅｎｔ）は、情報エレメントの追加を示す）。
【００４４】
上記によって、ＷＣＤＭＡのエアーインタフェースを利用して、端末に対してＷｉＭＡＸネットワークページングを行う目的を実現している。位置更新は、ＷＣＤＭＡネットワークで行ってもよいし、ＷｉＭＡＸエアーインタフェースをオンにした後に、ＷｉＭＡＸネットワークで行ってもよい。
【００４５】
図５は、本発明の実施例１による端末の構成を示す。
【００４６】
図５に示すように、端末１は、処理ユニット１１、アクセスインタフェース１２、更新ユニット１３及び検出ユニット１４を含む。
【００４７】
更新ユニット１３は、端末の起動時又はハンドオーバーなどの適宜なタイミングで、システムに対して位置登録と更新を行う。アクセスインタフェース１２は、複数のネットワークモードのインタフェースを含んでもよく、対応するネットワークと接続して通信する。本実施例において、アクセスインタフェース１２は、ＷＣＤＭＡエアーインタフェースとＷｉＭＡＸエアーインタフェースとを含む。
【００４８】
検出ユニット１４は、ＷＣＤＭＡエアーインタフェースを介して、ページング指示チャネル上にページング指示が存在するか否かを検出する。存在する場合、処理ユニット１１に通知する。
【００４９】
検出ユニット１４でページング指示を検出した後、処理ユニット１１は、基地局がセカンダリ共通制御物理チャネルに搭載して送信した次の下りチャネルフレームに対して復号を行って、該端末１自身に属するページングメッセージの有無を確認する。あると確認した場合、更に、該ページング情報に異種ネットワークページングを示す指示（ＵＰＩ）があるかを判断する。ＵＰＩ＝１の場合、対応するネットワークインタフェース（ＷｉＭＡＸエアーインタフェース）をオンにする。ＵＰＩ＝０の場合、依然としてＷＣＤＭＡエアーインタフェースを利用してページング要求を完成する。ここでは、例えば、ＵＰＩ＝０は、ＷＣＤＭＡからのページング情報であることを示し、ＵＰＩ＝１は、ＷｉＭＡＸからのページング情報であることを示すと予め規定されているとする。
【００５０】
もちろん、デュアルモード端末の処理ユニット１１は、該ページング情報が、ＷｉＭＡＸネットワークからのページング要求が存在することを示すか否かを直接判断してもよい。存在する場合、ＷｉＭＡＸエアーインタフェースを直接オンにする。一方、マルチモード端末の処理ユニット１１は、ページング情報のＵＰＩがどのネットワークを指示するかを判断して、対応するネットワークインタフェースをオンにする。
【００５１】
ここで、デュアルモード或いはマルチモード端末が異種ネットワークの重なりカバーエリアに所在する場合、更新ユニット１３による位置更新は、ＷＣＤＭＡシステムで実現してもよいし、ＷｉＭＡＸエアーインタフェースをオンにした後、ＷｉＭＡＸシステムで実現してもよいが、ＷＣＤＭＡシステムとＷｉＭＡＸシステムの両方で位置更新を行う必要はない。
【００５２】
図６は、本発明の実施例１によるページング方法の性能分析モデルを示す。図７は、本発明の実施例１によるページング方法の性能シミュレーション結果を示す。
【００５３】
図６において、Ｐ１は、ＷｉＭＡＸエアーインタフェースをオンにする際の電力消耗を示し、Ｐ２は、端末が待機状態にある場合の電力消耗を示す。Ｐ４は、ページングをモニターする際の電力消耗を示し、Ｐ５は、音声サービスの電力消耗を示す。
【数１】
0005258425.tif 000002
【００５４】
上記公式において、Ｅは、エネルギー消耗を示し、
【数２】
0005258425.tif 000003
は、端末がＷｉＭＡＸエアーインタフェースをオンにした後ＷｉＭＡＸネットワークにアクセスするときに消耗したエネルギーを示し、ｓは時間単位である秒を示す。
【００５５】
Ｐ２：Ｐ５：Ｐ４＝１：２５：１２．５    
Ｐ１＝Ｐ５＝２４ｄＢｍ
Ｔｐｏｗｅｒ  ｏｎ＝ｔ１＝１．５ｓ（ＷｉＭＡＸエアーインタフェースをオンにする時間周期）
Ｔｓｔａｎｄｂｙ＝ｔ２＝５．１２ｓ（端末が待機状態にある時間周期。該時間周期が終了した後、端末はｃａｌｌｉｎｇ状態又はページングモニタ状態に入る）
Ｔｐａｇｉｎｇ＝ｔ４＝０．０８ｓ（ページングモニタの時間周期）
Ｔａｖｇｃａｌｌ＝ｔ５＝３，５，１０ｍｉｎｕｔｅｓ（音声呼出しの平均時間周期）
【数３】
0005258425.tif 000004
【００５６】
ここで、
【数４】
0005258425.tif 000005
は、延長可能な待機時間を示し、
【数５】
0005258425.tif 000006
は、異種ページング方法を採用した場合に観察期間内に消耗したエネルギーを示す。
【数６】
0005258425.tif 000007
は、伝統的な方法を採用した場合に観察期間内に消耗したエネルギーを示す。
【数７】
0005258425.tif 000008
は、端末がＷｉＭＡＸのみで稼働する場合の待機時間を示す。
【００５７】
仮定条件は下記である。
【００５８】
（１）Ｅｓｔａｎｄｂｙ：Ｅｃａｌｌｉｎｇ：Ｅｐａｇｉｎｇ＝１：２５：１２．５
（２）Ｅｐｏｗｅｒ  ｏｎ＝Ｅｃａｌｌｉｎｇ
（３）移動端末がＷｉＭＡＸエアーインタフェースのみをオンにしたときに持続した待機時間は、四日間である。
【００５９】
図７のシミュレーション分析結果から分かるように、毎日の平均呼出し回数が少ないほど、待機時間は長く延長され、毎回の平均通話時間が短いほど、待機時間が長く延長される。
【００６０】
本実施例のページング方法及びシステムによれば、デュアルモード或いはマルチモード端末が異種ネットワークの重なりカバーエリアに位置している場合、一回の位置更新だけでいいため、シグナリングプロセスを減少し、端末が一種類のモードで二種類以上のネットワークのサービスを受けることができるので、端末のエネルギー消耗を節約している。
【００６１】
また、本実施例は、二種類のネットワーク（ＷＣＤＭＡとＷｉＭＡＸ）からなる異種ネットワークを例として説明したが、もちろん、本発明は、ＷＣＤＭＡ、ＷｉＭＡＸ、ＧＳＭ、３Ｇネットワーク又はＷｉＦｉなどのＷＡＮとＬＡＮからなる異種ネットワーク（異種ネットワークは，二つ又は複数のネットワークを含んでもよい）にも適用することができる。
【００６２】
また、端末は、ＵＰＩ情報に基いて対応するネットワークインタフェースをオンにし、通信を行ってサービスを完成した後、端末のエネルギー消耗を節約するために、対応するネットワークインタフェースをオフにしてもよい。
【００６３】
<実施例２>
図８は、本発明の実施例２によるＷＡＮとＷＡＮの異種ネットワークのトポロジー構造を示す。
【００６４】
図８において、ＷＣＤＭＡネットワークは、図１に示すＷＣＤＭＡのネットワークトポロジーと同一であり、ＧＳＭネットワークも従来のＧＳＭネットワーク配置を採用する。ＢＴＳは、基地局の送受信機であり、無線伝送に用いられる。ＢＳＣは、基地局制御器であり、制御と管理を行う。また、ＷＣＤＭＡネットワークとＧＳＭネットワークは互いに重なっている。説明の簡便化のため、ここでは、従来のＧＳＭネットワーク配置を詳しく記述しない。
【００６５】
図８に示すネットワークトポロジー構造に基いて、ＧＳＭネットワークとＷＣＤＭＡネットワークは、プライマリネットワークとセカンダリネットワークに分けてもよいし、互いに切り替えてもよい。
【００６６】
実施例２によるページング方法は、実施例１によるページング方法に類似しており、ＧＳＭネットワークとＷＣＤＭＡネットワークがプライマリネットワークとセカンダリネットワークに分けられる場合に、例えばＧＳＭをプライマリネットワークとし、ＷＣＤＭＡをセカンダリネットワークとした場合、端末１は、ＧＳＭネットワークエアーインタフェースをずっとオンにし、ＷＣＤＭＡネットワークからのページング要求を受け取った後、ＧＳＭネットワーク中の制御サブシステム（ＢＴＳとＢＳＣ）がページング情報に追加したＵＰＩ情報（ＵＰＩ＝１）に基いて、ＷＣＤＭＡエアーインタフェースをオンにし、ＵＰＩ＝０の場合は、依然としてＧＳＭネットワークエアーインタフェースを利用して通信を行う点で、実施例1によるページング方法と異なっている。
【００６７】
ここで、ＧＳＭネットワークシステム中のネットワークノードは、ＷＣＤＭＡネットワークからのページング要求を識別し、ＷＣＤＭＡネットワークにおいて位置更新を行う機能を有し、すなわち、ＧＳＭネットワークシステムとＷＣＤＭＡネットワークシステムでネットワークノード（ＳＧＳＮ/ＶＬＲ、ＧＧＳＮ、ＨＬＲ）を共有する。
【００６８】
また、端末は、一つのエアーインタフェースをランダムにオンにし、もう一つのエアーインタフェースをオフにして、必要のときだけオンにしてもよいし、又は、一つのエアーインタフェースをランダムにオンにし、もう一つがオフ状態からオン状態になった後、ランダムにオンになったエアーインタフェースが稼働しないと、該エアーインタフェースをオフにしてもよい。
【００６９】
そこで、本実施例のページング方法及びシステムによれば、端末が二つ又は複数のＷＡＮの重なりエリアに位置している場合、一回の位置更新だけでいいため、シグナリングプロセスを減少し、端末が一種類のモードで二種類以上のネットワークのサービスを受けることができるため、モードの切り替えがより柔軟であり、それと共に端末のエネルギー消耗を節約している。
【００７０】
なお、本実施例は、二種類のＷＡＮ（ＷＣＤＭＡとＧＳＭ）からなる異種ネットワークを例として記述したが、もちろん、本発明は、複数のＷＡＮからなる異種ネットワーク、及び、二つのＬＡＮと複数のＬＡＮとからなる異種ネットワークにも適用できる。
【００７１】
当該技術分野の一般技術者にとって、上記実施形態から他の優れた点及び変更を容易に想到することができる。従って、本発明は、上記具体的な実施形態に限られることはなく、上記記述は例として本発明の一の態様に対して詳細に規範的に説明したに過ぎない。本発明の主旨を逸脱しない範囲内において、当該技術分野の一般技術者が上記具体的な実施形態に基づき均等な置換によって得ることができる技術案は、本発明の請求項の範囲及びその均等の範囲内に含まれることを理解されよう。
【図面の簡単な説明】
【００７２】
【図１】本発明の実施例１によるＷＡＮとＬＡＮの異種ネットワークトポロジー構造を示す。
【図２】本発明の実施例１によるページング方法の応用環境を示す。
【図３】本発明の実施例１において採用されたページングチャネル構造を示す。
【図４】本発明の実施例１によるページング方法のメッセージフローを示す。
【図５】本発明の実施例１による端末の構成を示す。
【図６】本発明の実施例１によるページング方法の性能分析モデルを示す。
【図７】本発明の実施例１によるページング方法の性能シミュレーション結果を示す。
【図８】本発明の実施例２によるＷＡＮとＷＡＮの異種ネットワークトポロジー構造を示す。
【図１】
0005258425.tif 000009
【図２】
0005258425.tif 000010
【図３】
0005258425.tif 000011
【図４】
0005258425.tif 000012
【図５】
0005258425.tif 000013
【図６】
0005258425.tif 000014
【図７】
0005258425.tif 000015
【図８】
0005258425.tif 000016